(57)【要約】【課題】書き込み又は読み取り速度にかかわらず動作するディスク装置を提供する。【解決手段】回転ディスクからの読み取り及び／又はディスクへの書き込みをする装置がディスクの上方に配置され、電線を介してマザーボードに接続されたモバイルオプトエレクトロメカニカル装置を含む。該装置は、アクチュエータ、レーザダイオード、光検出器、電子回路を含み、各光検出器が、受信した光信号に比例したアナログ電気信号を電子回路に与え、電子回路はダイオード及びアクチュエータを制御する。電子回路はアナログ・デジタル変換器を含み、光検出器から入って来るアナログ信号をデジタル化し、デジタル信号をデジタル処理ユニットへ送信し、処理ユニットは、ディスクに対するオプトエレクトロメカニカル装置の整列データと、該装置によるディスクのビットのオーバーフライトに対応する時間の倍数又は約数に対応する周期を有する基準クロック信号とを提供する。【選択図】図２
2006164500.tif 000002
【特許請求の範囲】
【請求項１】
回転しているディスクからの読み取り及び／又は前記ディスクへの書き込みをする装置が、前記ディスクの上方に配置され、一組の電線を介してマザーボード（２００）に接続されたモバイルオプトエレクトロメカニカル装置（１００）を含み、前記オプトエレクトロメカニカル装置が、アクチュエータ（１０１）と、レーザダイオード（１０２）と、光検出器（１０３）と、前記ダイオード及び前記アクチュエータを制御する電子回路（１０４）とを含み、各光検出器が、受信した光信号に比例したアナログ電気信号を前記電子回路のアナログ・デジタル変換器（１０５）に与える前記装置において、
前記電子回路は、デジタル処理ユニット（１０６）を含み、該デジタル処理ユニットが、前記アナログ・デジタル変換器によりデジタル化され、前記ディスクに対する前記オプトエレクトロメカニカル装置の整列データ（＠、Δ）を提供する信号と、前記オプトエレクトロメカニカル装置による、前記ディスクのビットのオーバーフライトに対応する時間の倍数又は約数にほぼ対応する周期を有する基準クロック信号（Ｃｋ）とを受信し、前記電子回路が、同期ユニット（１０７）を更に含み、該同期ユニット（１０７）は、前記基準クロック信号を受信し、書き込み段階で、前記マザーボードから入って来る書き込まれるべきデジタルデータ（Ｄ）の信号を受信し、書き込み段階で、前記レーザダイオードへ向けて同期デジタルデータ信号を提供することを特徴とする装置。
【請求項２】
読み取り段階で、前記デジタル処理ユニット（１０６）が、前記ディスクに書き込まれたデータに対応するデジタルデータ信号（ｄ）を提供することを特徴とする請求項１に記載の装置。
【請求項３】
前記整列データは、前記オプトエレクトロメカニカル装置が上方にある前記ディスクエリアを示すアドレス（＠）と、後続のディスクトラックに対する整列エラー（Δ）のデータとであることを特徴とする請求項１に記載の装置。
【請求項４】
前記整列データ（＠、Δ）は、前記電線のうちの一本を介して、前記マザーボード（２００）に配置されたサーボユニット（２０１）へ直列に送信され、前記サーボユニットが、整列データを分析し、前記オプトエレクトロメカニカル装置（１００）の前記アクチュエータ（１０１）へ向けて制御信号（ｃｍｄ）を提供することを特徴とする請求項１に記載の装置。
【請求項５】
前記オプトエレクトロメカニカル装置（１００）の前記電子回路（１０４）は、前記マザーボードの前記サーボユニットから入って来る「メイン」制御信号（ｃｍｄ）と、前記処理ユニット（１０６）により与えられる「調整」制御信号（ｃｍｄ２）とを受信する制御信号グルーピングユニット（１０９）を更に含み、前記制御信号グルーピングユニットが、前記アクチュエータ（１０１）を制御することを特徴とする請求項４に記載の装置。
【請求項６】
読み取られ（ｄ）及び書き込まれる（Ｄ）前記デジタルデータ信号は、前記マザーボード（２００）及び前記オプトエレクトロメカニカル回路（１００）に配置された二つのインターフェース（１１０、２１０）を介して伝送され、前記二つのインターフェースは、前記電線のうちの一本によって接続され、前記インターフェースは、デジタルデータ信号を一方向又はその反対方向に流すことを特徴とする請求項１及び２に記載の装置。
【請求項７】
前記マザーボード（２００）は、前記オプトエレクトロメカニカル装置により提供され、前記電線のうちの一本を介して送信された前記デジタルデータ信号（ｄ）の復調及びデコーディング後に、オーディオ及び／又はビジュアル信号（Ｓｅ）を送信する読み取りユニット（Ｒ）を含むことを特徴とする請求項２に記載の装置。
【請求項８】
前記マザーボード（２００）は、オーディオ及び／又はビジュアル信号（Ｓｒ）を受信し、書き込まれるべきデジタルデータの前記信号を提供するため、この信号のコーディング及び変調を行う書き込みユニット（Ｗ）を含むことを特徴とする請求項１に記載の装置。
【請求項９】
前記オプトエレクトロメカニカル装置の前記電子回路は、前記処理ユニット（１０６）により与えられた前記デジタルデータ信号（ｄ）を復調する手段と、前記マザーボード（２００）から入って来た書き込まれるべきデジタルデータの信号（Ｄ）を変調する手段とを含むことを特徴とする請求項１及び２に記載の装置。
【請求項１０】
レーザダイオード（１０２）と、ディスク上方に配置されたモバイルオプトエレクトロメカニカル装置（１００）のアクチュエータ（１０１）とを制御することを目的とし、前記オプトエレクトロメカニカル装置の一組の光検出器（１０３）により与えられたアナログ電気信号を受信する電子回路において、
前記光検出器から入って来る前記アナログ電気信号をデジタル化するアナログ・デジタル変換器（１０５）と、
前記変換器からのデジタル化された信号を受信し、前記ディスクに対する前記オプトエレクトロメカニカル装置の整列データ（＠、Δ）と、前記オプトエレクトロメカニカル装置による、前記ディスクのビットのオーバーフライトに対応する期間の倍数又は約数にほぼ対応する周期を有する基準クロック（Ｃｋ）とを提供するデジタル処理ユニット（１０６）と、
前記基準クロック信号（Ｃｋ）を受信し、書き込み段階で、書き込まれるべきデジタルデータ（Ｄ）の信号を受信し、書き込み段階で、前記レーザダイオードへ向けられた同期されたデジタルデータ信号を提供する同期ユニット（１０７）とを含むことを特徴とする電子回路。
【請求項１１】
光学サポート上のデジタルディスクのリーダ及び／又はレコーダが、例えば、「ＣＤ」、「ＤＶＤ」、「ブルーレイ」又は「ＨＤ−ＤＶＤ」フォーマットで、請求項１から９のいずれかに記載の装置を含むことを特徴とするリーダ及び／又はレコーダ。
【発明の詳細な説明】
【技術分野】
【０００１】
本発明は一般に、光学読み取り及び／又は書き込みが可能なデジタルデータ記憶ディスクから読み取る及び／又は該ディスクへ書き込むための装置に関する。そのようなディスクは、例えば、「ＣＤ」、「ＤＶＤ」、「ブルーレイ」又は「ＨＤ−ＤＶＤ」である。
【背景技術】
【０００２】
図１は、そのような装置の従来の図である。モバイルオプトエレクトロメカニカル装置１は、ディスク２の上方で、二本の水平なレールで形成されたサポート３上に配置され、そのサポートは、ディスク２の隣に置かれたフット４により片側に保持される。オプトエレクトロメカニカル装置１は、可撓性のストリップ６上に配置された電線により、マザーボード５に接続される。
【０００３】
オプトエレクトロメカニカル装置の構造は、前記図の左下に概略的に示されている。アクチュエータ１０により、装置１はサポート３のレール上を動くことができる。レーザダイオード１１は、ディスクから読み取り又はディスクへ書き込みをするために、発光する。光検出器の配置で形成されるイメージセンサ１２は、ディスクに反射した光の強さを連続して測定する。イメージセンサ１２の各光検出器は、アナログ電気信号を提供し、その信号は、この光検出器により受信された光の強さにほぼ比例する強さを有する。アクチュエータ１０、レーザダイオード１１及びイメージセンサ１２は、後続の素子を含む電子回路１３に接続される。増幅器１４は、イメージセンサ１２の各光検出器により与えられたアナログ電気信号を増幅し、その信号を一組のアナログ信号ｓの形式でマザーボード５へ送信する。増幅器１５は、マザーボードにより送信された制御信号ｃｍｄを受信し、増幅後、前記信号をアクチュエータ１０へ送信する。調整／増幅装置１６は、レーザダイオード１１の光度を制御するので、その光度は、読み取りもしくは書き込みが行われるかどうかによって小さいか又は変化する。書き込み段階では、調整／増幅装置１６が、デジタルデータ信号Ｄを受信し、書き込まれるべきビットのタイプによりレーザダイオード１１の光度を変えるので、その強さは、例えば、「１」を書き込むためには高く、「０」を書き込むためには低くなる。「１」でビットを書き込むことにより、このビットに対応するトラック部分の性質に変更が起こり、特に反射する特性について変更が起こる。
【０００４】
マザーボードは、テレビ又はオーディオシステムのような機器へ又はそのような機器から、オーディオビジュアル信号を受信又は提供し、前述の信号ｃｍｄ、ｓ及びＤをオプトエレクトロメカニカル装置１と交換する。一般に、マザーボード５は、プリント回路であり、その上に一つ又はいくつかの集積回路が配置される。機能的な観点から、マザーボードは、四つのメインユニットに分けられる。「サーボ」ユニット２０は、制御信号ｃｍｄをアクチュエータ１０に与える。処理ユニット（ｐｒｏｃ  ＲＦ）２１は、イメージセンサ１２から入って来るアナログ信号ｓを処理する。処理ユニット２１は、データ信号ｄを読み取りユニットＲ２３に与え、読み取りユニットは、復調及びデコーディング後に、オーディオビジュアル信号Ｓｅを提供する。書き込みユニットＷは、オーディオビジュアル信号Ｓｒを受信し、この信号のコーディング及び変調を行い、このコーディング及び変調された信号が、ディスク２に書き込まれるべきデジタルデータＤの信号の形式で、オプトエレクトロメカニカル装置１へ送られる。
【０００５】
処理ユニット２１は、四つのメイン素子を検出するために、センサ１２により与えられたイメージを分析する。この分析は、アナログ信号から動作する演算手段、特に加算及び減算手段に基づいて、「アナログ」の形で実行される。最初の二つの与えられた素子は、ディスク２に対するオプトエレクトロメカニカル装置１の整列に関する。これらは、装置１が上方に置かれているディスクエリアを示すアドレスデータ＠と、後続のディスクトラックに対する装置１の整列エラーのデータΔである。つまり、トラックからあまりにも横方向にオフセットしていたり、トラックにあまりにも近すぎたり又はあまりにも離れていたりすると、ディスクに形成された光点が完全にはっきりしない。アナログ整列データ信号＠及びΔは、サーボユニット２０へ送信され、サーボユニットは整列データ信号を分析し、必要ならば、装置１を適切に再調整するために、代わりに制御信号ｃｍｄをオプトエレクトロメカニカル装置に与える。処理ユニット２１により与えられるもう一つの素子は、アナログ読み取りデータ信号ｄであり、その信号は、読み取りユニットＲにより復調され、デコードされる。処理ユニット２１により与えられる最後の素子は、「ウォブル」信号として知られる基準クロック信号Ｃｋである。基準クロックＣｋの周期は、ディスクが回転しているとき、ビットに対応するディスクの一部がセンサの下を通過する期間、つまりイメージセンサによる、ディスク２に書き込まれたデータビットのオーバーフライトの期間の倍数又は約数にほぼ対応する。基準クロック信号Ｃｋは、書き込みユニットＷに送信され、その書き込みユニットは、基準クロック信号Ｃｋの周波数に対応する比率で書き込まれるべきデジタルデータ信号Ｄを送信する。
【０００６】
ディスクの読み取り及び書き込み速度が増加するにつれて、ますます上述した装置のエラーが観測される。そのようなエラーは、「ブルーレイ」として知られる最新な技術を使用する装置で特に起こる。生じるエラーは、主に書き込みエラーである。
【発明の開示】
【発明が解決しようとする課題】
【０００７】
本発明の目的は、書き込み又は読み取り速度が何であれ動作可能なディスクの読み取り及び書き込み装置を提供することである。
【０００８】
本発明のもう一つの目的は、そのような簡単な構造の装置を提供することである。
【課題を解決するための手段】
【０００９】
これらの目的を達成するため、本発明は、回転しているディスクからの読み取り及び／又はディスクへの書き込みをする装置を提供し、その装置が、ディスクの上方に配置され、一組の電線を介してマザーボードに接続されたモバイルオプトエレクトロメカニカル装置を含む。オプトエレクトロメカニカル装置は、アクチュエータと、レーザダイオードと、光検出器と、電子回路とを含み、各光検出器が、受信した光信号に比例したアナログ電気信号を電子回路に与え、その電子回路は、ダイオード及びアクチュエータを制御する。電子回路は、アナログ・デジタル変換器を含み、その変換器は、光検出器から入って来るアナログ電気信号をデジタル化し、そのデジタル信号をデジタル処理ユニットへ送信し、その処理ユニットは、ディスクに対するオプトエレクトロメカニカル装置の整列データと、オプトエレクトロメカニカル装置による、ディスクのビットのオーバーフライトに対応する時間の倍数又は約数にほぼ対応する周期を有する基準クロック信号とを提供する。
【００１０】
本発明の実施形態によれば、電子回路は、前記基準クロック信号と、マザーボードから入って来る書き込まれるべきデジタルデータの信号とを受信し、レーザダイオードへ向けて同期デジタルデータ信号を提供する同期ユニットを更に含む
。
【００１１】
本発明の実施形態によれば、読み取り段階で、デジタル処理ユニットが、ディスクに書き込まれたデータに対応するデジタルデータ信号を提供する。
【００１２】
本発明の実施形態によれば、前記整列データは、オプトエレクトロメカニカル装置が上方に配置されるディスクエリアを示すアドレス及び後続のディスクトラックに対する整列エラーのデータである。
【００１３】
本発明の実施形態によれば、前記整列データは、前記電線のうちの一本を介して、マザーボードに配置されたサーボユニットへ直列に送信され、サーボユニットが、整列データを分析し、オプトエレクトロメカニカル装置のアクチュエータへ向けて制御信号を提供する。
【００１４】
本発明の実施形態によれば、オプトエレクトロメカニカル装置の電子回路は、マザーボードのサーボユニットから入って来る「メイン」制御信号と、処理ユニットにより与えられる「調整」制御信号とを受信する制御信号グルーピングユニットを更に含み、その制御信号グルーピングユニットが、アクチュエータを制御する。
【００１５】
本発明の実施形態によれば、読み取られ及び書き込まれるデジタルデータ信号は、マザーボード及びオプトエレクトロメカニカル回路に配置された二つのインターフェースを介して伝送され、その二つのインターフェースは、前記電線のうちの一本によって接続され、そのインターフェースは、デジタルデータ信号を一方向又はその反対方向に流すことを確実にする。
【００１６】
本発明の実施形態によれば、マザーボードは、オプトエレクトロメカニカル装置により提供され、前記電線のうちの一本を介して送信されたデジタル信号の復調及びデコーディング後に、オーディオ及び／又はビジュアル信号を送信する読み取りユニットを含む。
【００１７】
本発明の実施形態によれば、マザーボードは、オーディオ及び／又はビジュアル信号を受信し、書き込まれるべきデジタルデータの信号を提供するため、この信号のコーディング及び変調を行う書き込みユニットを含む。
【００１８】
本発明によれば、オプトエレクトロメカニカル装置の電子回路は、処理ユニットにより与えられたデジタルデータ信号を復調する手段と、マザーボードから入って来た書き込まれるべきデジタルデータの信号を変調する手段とを含む。
【００１９】
本発明はまた、レーザダイオードと、ディスク上方に配置されたモバイルオプトエレクトロメカニカル装置のアクチュエータとを制御することを目的とし、オプトエレクトロメカニカル装置の一組の光検出器により与えられたアナログ電気信号を受信する電子回路を提供する。その回路は、光検出器から入って来るアナログ電気信号をデジタル化するアナログ・デジタル変換器と、前記変換器からデジタル化された信号を受信し、ディスクに対するオプトエレクトロメカニカル装置の整列データと、オプトエレクトロメカニカル装置による、ディスクのビットのオーバーフライトに対応する期間の倍数又は約数にほぼ対応する周期を有する基準クロック信号とを提供するデジタル処理ユニットとを含む。
【００２０】
本発明はまた、例えば、「ＣＤ」、「ＤＶＤ」、「ブルーレイ」、又は「ＨＤ−ＤＶＤ」フォーマットで、以前に定義されたような装置を含む、デジタルディスクのリーダ及び／又はレコーダを光学サポート上に提供する。
【００２１】
本発明の前述及び他の目的、特徴並びに利点は、添付の図面と一緒に、特定の実施形態の以下に限定されない説明において詳細に論じられる。
【発明を実施するための最良の形態】
【００２２】
図１に関連して以前に説明された装置において、本発明者は、特に書き込み段階において、可撓性のストリップの電線上を通過する信号間で寄生結合の問題を発見した。デジタルデータ信号Ｄは、マザーボード５からオプトエレクトロメカニカル装置１へ、一方向に通過し、アナログ信号ｓは、装置１からマザーボード５へ、反対方向に通過する。デジタルデータ信号Ｄは、約５００ＭＨｚから１ＧＨｚまでの周波数を示し、その電圧変化の振幅は、約１ボルトである。それらに関して、アナログ電気信号ｓは、最大１００ＭＨｚにまで及ぶ周波数スペクトラムを有し、その最大の電圧変化は、はるかに小さく、約数百ｍＶである。寄生静電結合により、デジタルデータ信号Ｄの著しい高速変化が、４０から５０ｍＶに達し得るアナログ信号ｓに、電圧変化を引き起こす。アナログ信号ｓの信号対雑音比は、極端に低い。処理ユニットにより干渉が引き起こされたアナログ信号ｓの分析は、間違った整列データ＠及びΔを提供する。このことが、結局、ディスクの上のレーザダイオードの悪い整列を引き起こしてしまう。さらに、処理ユニット２１により与えられた基準クロック信号Ｃｋもまた、干渉により損なわれてしまう。従って、書き込まれるべきデジタルデータの信号Ｄの同期は、正しくなく、結果として書き込みエラーとなる。
【００２３】
こうして、寄生静電結合は、送信されたアナログ信号の信号対雑音比を低減させ、その結果、整列制御信号及び書き込まれるべきデータの同期信号の誤った発生を引き起こす。
【００２４】
マザーボードと、オプトエレクトロメカニカル装置とを接続する電線間の寄生結合を低減する方法は、電線の電気的遮蔽を改善することを含む。このために、電線がお互いに離れて間隔をあけてもよく、又は二本の可撓性のストリップが提供されてもよく、装置からマザーボードへ通過する信号は、一本のテープ上に配置され、反対方向へ通過する信号は、もう一方のテープに配置される。しかし、これには、より幅の広い可撓性ストリップ又は複数の可撓性ストリップを使用する必要があるので、より費用がかかり、サイズも大きくなってしまう。
【００２５】
イメージセンサから入って来るアナログ信号ｓの信号対雑音比を増加させる方法は、より強力な増幅器１４を用いて、この信号の電圧変化の振幅を増加させることである。しかし、そのような解決法には、いくつかのデメリットがある。それは、消費電力が、とても大きいことである。更に、アナログ信号の変化の増加が、クリッピングや歪みの現象を引き起こす。
【００２６】
これらのエラーを取り除くために、本発明は、オプトエレクトロメカニカル装置に配置された「デジタル」装置を用いて、イメージセンサにより与えられたアナログ信号を処理する。このデジタル装置は、アナログ・デジタル変換器及びデジタル処理ユニットで形成される。イメージセンサによって与えられた信号のデジタル化及びそれらの信号のデジタル処理により、図１に関して前述された装置の処理ユニット２１により実行されるような「アナログ」処理と比べて、処理特性が少し低下する。しかし、ほぼ同一の機能なので、デジタル処理ユニットの方が、「アナログ」処理ユニットよりもずっとコンパクトで、電力も少なくてすむ。デジタル処理ユニットは、従って、オプトエレクトロメカニカル装置に配置される電子回路の中に有利に配置され得る。デジタル処理ユニットは、比較的低い周波数のデジタル信号を提供するだけである。デジタル信号は、可撓性ストリップの電線間の寄生静電結合に対してそれほど反応しないので、このことにより、以後示すように、結局、アナログ処理ユニットとデジタル処理ユニットとの特性の差異を大いに補償することができる。
【００２７】
図２は、本発明によるディスクの読み取り及び／又は書き込み装置の図である。この装置は、オプトエレクトロメカニカル装置１００と、図示されていない可撓性のストラップ上に配置された電線により接続されたマザーボード２００とを含む。前述のように、オプトエレクトロメカニカル装置１００は、アクチュエータ１０１、レーザダイオード１０２、及びイメージセンサ１０３とを含み、その三つ全てが、電子回路１０４に接続される。オプトエレクトロメカニカル装置１００は、前述のようにディスク上方のレールに配置され、そのディスクは、読み取り又は書き込みの時に回転する。
【００２８】
本発明の特徴によれば、イメージセンサ１０３の各光検出器により与えられたアナログ電気信号は、アナログ・デジタル変換器１０５によりデジタル化され、その後、その信号は、一組のデジタル信号を提供するデジタル処理ユニット１０６へ送信される。処理ユニット１０６は、整列情報、つまり、装置１００が上方に配置されているディスクエリアを示すアドレス＠と、後続のディスクトラックに対する整列エラーのデータΔを提供する。更に、処理ユニット１０６は、基準クロック信号Ｃｋを提供する。基準クロック信号Ｃｋの周期は、イメージセンサ１０３による、データビットに対応する装置１００の下に配置された回転するディスクのトラック部分のオーバーフライトの期間の倍数又は約数に対応する。更に、読み取り時に、処理ユニット１０６は、ディスクに書き込まれたデータを示すデジタルデータ信号ｄを提供する。
【００２９】
図２に説明されている実施形態では、整列データ＠及びΔが、マザーボード２００のサーボユニット２０１へ送信される。本発明の実施形態のこの実施例では、整列データが、一本の電線を介して直列に送信される。サーボユニット２０１は、整列データを分析し、代わりに装置１００のアクチュエータ１０１へ向けて制御信号ｃｍｄを提供する。
【００３０】
更に、読み取り時に、処理ユニット１０６により提供されたデジタルデータ信号ｄは、マザーボード２００の読み取りユニットＲ２０２へ、二つのインターフェース１１０及び２１０を介して送信され、それらのインターフェースはそれぞれ、オプトエレクトロメカニカル装置１００上及びマザーボード２００上に配置される。読み取りユニット２０２は、受信したデジタルデータ信号ｄを復調及びデコードし、オーディオビジュアル信号Ｓｅを出力する。
【００３１】
更に、マザーボード２００は、オーディオビジュアル信号Ｓｒを受信できる書き込みユニット２０３を含む。書き込み段階では、書き込みユニット２０３が、受信信号Ｓｒをデジタルデータ信号Ｄの形で二つのインターフェース１１０及び２１０を介してオプトエレクトロメカニカル装置１００へ送る前に、受信信号Ｓｒをコーディング及び変調する。装置１００に配置された同期ユニット１０７は、処理ユニット１０６から入って来る基準クロック信号Ｃｋと同様に、書き込まれるべきデジタルデータ信号Ｄを受信し、同期データ信号を調整／増幅ユニット１０８へ提供し、その調整／増幅ユニットが、連続した電流レベルの形で適切な書き込み制御信号をレーザダイオード１０２へ提供するので、その電流レベルが、例えば、「１」を書き込むのには高光度が必要といった、書き込まれるべき値の働きをする。
【００３２】
図２に示される実施形態では、マザーボード２００のサーボユニット２０１は、主な整列制御信号を送信するだけなので、トラックの上方の位置に関する「整列」制御信号は、処理ユニット１０６により直接与えられる。制御信号グルーピングユニット１０９は、サーボユニット２０１から入って来る制御信号ｃｍｄと、処理ユニット１０６から入って来る制御信号ｃｍｄ２とを受信し、合成の後、アクチュエータ１０１を制御する。
【００３３】
更に、図２に示される装置では、インターフェース１１０及び２１０は、一本の電線でお互いに接続され、その電線上を、読み取りデジタルデータ信号ｄか、又は書き込まれるべきデジタルデータ信号Ｄかのどちらかが通過する。一方向又はその反対方向にデータが通過する一本の電線の使用は、装置とマザーボードを接続する可撓性のストリップである電線の数を減らすことができ、結果として、サイズを小さくし、可撓性ストリップの費用を低減することができる。
【００３４】
本発明による装置において、処理ユニットにより与えられる整列データ＠及びΔは、低周波デジタル信号である。寄生静電結合に対するこれらの信号の反応は低く、図１に示される従来の装置に送信されたアナログ信号の反応とは正反対である。
【００３５】
更に、オプトエレクトロメカニカル装置がデジタル信号を送信するだけであるということは、有利にも、データを順番に並べ、信号、つまり送信されるべきデータを制御する多重システムを提供でき、それによって、オプトエレクトロメカニカル装置とマザーボードとを接続する可撓性ストリップ上の電線の数を減少させて使用することができる。
【００３６】
また、同期ユニット１０７による基準クロックＣｋの直接使用により、オプトエレクトロメカニカル装置内で、書き込まれるべきデータの同期を実行するということは、書き込まれるべきデジタルデータ信号の同期に関する問題を完全に抑えることができる。
【００３７】
本発明による装置の利点は、図１に関して説明した従来の装置とは正反対に、高い読み取り又は書き込み周波数で作動することである。
【００３８】
もちろん、本発明は、当業者によれば、容易に様々な変更、改良、及び修正が可能である。特に、本発明は、オプトエレクトロメカニカル装置に配置された電子回路上のデジタルデータ信号の変調及び復調を実行するために設けられてもよい。このことにより、マザーボードとオプトエレクトロメカニカル装置との間を通過するデジタル信号の周波数を低減でき、結果として、それら信号の寄生静電結合に対する反応を少なくできる。
【００３９】
更に、オプトエレクトロメカニカル装置に配置されたデジタル処理ユニットは、その処理機能をディスクタイプ、読み取り及び／又は書き込みのスピード、又は他のパラメータに適合させるため、プログラム可能なように提供され得る。
【００４０】
また、デジタル処理ユニットは、オプトエレクトロメカニカル装置に配置された電子回路に、書き込み段階で、レーザダイオードの光度を調整するユニットを含むように提供されてもよい。そのような調整ユニットは、「０」又は「１」で書き込まれるビットの反射率が正しいかどうかを検出するために、イメージセンサで受信された光信号を分析する。もし、それが正しくなければ、この調整装置は、調整／増幅ユニットを制御して、レーザダイオードの電流レベルを修正する。
【００４１】
その上、本発明の装置は、オーディオだけ又はビジュアルだけである信号の読み取り、又は書き込みに適用できる。
【００４２】
更に、オプトエレクトロメカニカル装置の電子回路は、同じパッケージに配置され得るいくつかの集積回路の形を成してもよい。
【００４３】
また、本発明による読み取り及び／又は書き込み装置は、コンピュータ、ＣＤもしくはＤＶＤ専用のリーダ及び／又はレコーダのような様々な機器に取り付けられ得る。
【００４４】
そのような変更、修正、及び改良は、この開示の部分を目的とするものであり、本発明の精神と特許請求の範囲内であることを目的とする。従って、前述の説明は、単なる例であって、制約しようとするものではない。本発明は、特許請求の範囲及び均等物にのみ制約される。
【図面の簡単な説明】
【００４５】
【図１】従来のディスクの読み取り及び／又は書き込み装置の図である。
【図２】本発明によるディスクの読み取り及び／又は書き込み装置の図である。
【符号の説明】
【００４６】
１、  １００  オプトエレクトロメカニカル装置
２  ディスク
３  サポート
４  フット
５、  ２００  マザーボード
６  ストリップ
１０、  １０１  アクチュエータ
１１、  １０２  レーザダイオード
１２、  １０３  イメージセンサ
１３、  １０４  電子回路
１４、  １５  増幅器
１６、  １０８  調整／増幅装置
２０、  ２０１  サーボユニット
２１、  １０６  処理ユニット
２２、  ２０３  書き込みユニット
２３、  ２０２  読み取りユニット
１０５  アナログ・デジタル変換器
１０７  同期ユニット
１０９  制御信号グルーピングユニット
１１０、  ２１０  インターフェース
【図１】
2006164500.tif 000003
【図２】
2006164500.tif 000004
【外国語明細書】
2006164500.tif 000005
2006164500.tif 000006
2006164500.tif 000007
2006164500.tif 000008
2006164500.tif 000009
2006164500.tif 000010
2006164500.tif 000011
2006164500.tif 000012
2006164500.tif 000013
2006164500.tif 000014
2006164500.tif 000015
2006164500.tif 000016
2006164500.tif 000017
2006164500.tif 000018
2006164500.tif 000019
2006164500.tif 000020
2006164500.tif 000021
2006164500.tif 000022